(57)【特許請求の範囲】
【請求項１】
金属製の上下のドア面固定用脚部相互間に、木製の握り手部を結合してなるドアハンドルにおいて、ドア面固定用脚部を構成するパイプ部分に、没入する態様で一つ又は二つの雌ネジを有する固定金具を固定すると共に、前記雌ネジに雄ネジ棒の一端側を螺入してあり、握り手部の端部近傍に段付き部を設けて小断面積側である先端部を上記パイプ部分に密嵌すると共に、握り手部の先端部から中央部側に延びる円孔に雄ネジ棒の他端側を挿入してあり、
前記円孔は、孔中央に向かって深く形成された断面山形の底部を有すると共に、組立状態において雄ネジ棒の端部と当該底部との間にある程度の空間が形成される深さに設定してあり、少なくとも前記雌ネジと雄ネジ棒との隙間、円孔と雄ネジ棒の隙間、握り手部の先端部と固定金具との隙間、及び雄ネジ棒の端部と円孔の底部との隙間には、接着剤が充填されていることを特徴とするドアハンドル。
【請求項２】
固定金具は、パイプに密嵌される大きさの直方体状のもので、二つの雌ネジを有しており、前記各雌ネジに、二本使用した雄ネジ棒の各本の一端側を螺入してある請求項１記載のドアハンドル。
【請求項３】
ドアハンドルの組立の際に、前記雌ネジと雄ネジ棒との隙間、円孔と雄ネジ棒の隙間、握り手部の先端部と固定金具との隙間、雄ネジ棒の端部と円孔の底部との隙間からなる全ての隙間に充填されるに必要な量の接着剤を円孔内に充填しておき、接着剤を塗った雄ネジ棒の一端側を雌ネジに螺入した状態で、前記雄ネジ棒の他端側を円孔に挿入すると共に、挿入部をパイプの開放部に嵌合することで、接着剤が前記全ての隙間にほぼ９０％以上充填されてなる請求項１又は２に記載のドアハンドル。
【発明の詳細な説明】
【技術分野】
【０００１】
この発明は、金属製の上下のドア面固定用脚部相互間に木製の握り手部を結合してなるドアハンドルに関するものである。
【背景技術】
【０００２】
上下のドア面固定用脚部相互間にこれらとは別体の握り手部を設けて成るドアハンドルは、例えば、特許文献１に開示されている。
【０００３】
このドアハンドルは、上下のドア面固定用脚部相互を芯棒部で繋いでおり、前記芯棒部に対してパイプ状の握り手部を回動自在に外挿させているものである。
【０００４】
ところで、近年、ドアハンドルを格調高いものとすべく、ドア面固定用脚部を金属で、握り手部を木材で、それぞれ構成させ、両者の接続端相互を雄ネジ棒で結合したものが見受けられるようになってきている。
【０００５】
このドアハンドルにおけるドア面固定用脚部と握り手部の各構造及び両者の結合構造をより具体的に説明すると、以下の通りである。
(1) ドア面固定用脚部１を構成するパイプ１ａの開放部分に没入する態様で、雌ネジ２０が形成された固定金具２を溶接固定してある。前記雌ネジ部２０には雄ネジ棒３の一端側が螺入される。
(2) 握り手部４には、上記雄ネジ棒３の他端側が挿入される深い円孔４０が形成される。また、握り手部４の先端は、上記パイプ開放部に密嵌される挿入部４１と、パイプ開放部の端部と当接する段付き部４２を有している。
(3)上記ドア面固定用脚部１と握り手部４を結合する場合、雄ネジ棒３のネジ部分に接着剤を塗ってその一端部を雌ネジ２０に螺入し、他端側を円孔４０に挿入する。これによりドア面固定用脚部１と握り手部４は一体的に結合される。
【０００６】
しかしながら、上記ドアハンドルの握り手部の略中程部を握ってドアの開閉を繰り返すと、比較的短期間で段付き４２の部分からクラックが入るという問題が発生する。
【０００７】
このような問題が発生する原因を究明すべく、わが社では研究に取りかかった。
【０００８】
その結果、以下のことが明らかになった。
【０００９】
すなわち、ドアの開閉時において、握り手部４には湾曲しようとする力が働くこととなるが、この力の多くは、雄ネジ棒３が円孔４０から引き出されようとする力に変換される。この力により、ドアの開閉の回数に伴って雄ネジ棒３と孔４０との接着面は破断されていき、前記接着面が完全に破断するとドアの開閉時において握り手部４は大きく湾曲することになって、最も応力が集中する段付き４２の部分からクラックが発生することになる。
【００１０】
上記結論から、わが社では、金属製の上下のドア固定用脚部と木材製の握り手部とを雄ネジ棒を用いて結合してなる形式のものであっても、握り手部にクラックが生にくいドアハンドルの開発に取りかかった。
【特許文献１】特開２００５−２３６０９
【発明の開示】
【発明が解決しようとする課題】
【００１１】
そこで、この発明では、金属製のドア固定用脚部と木材製の握り手部とを雄ネジ棒を用いて結合してなる形式のものであっても、握り手部にクラックが発生しにくいドアハンドルを提供することを課題とする。
【課題を解決するための手段】
【００１２】
（請求項１記載の発明）
この発明は、金属製の上下のドア面固定用脚部相互間に、木製の握り手部を結合してなるドアハンドルにおいて、ドア面固定用脚部を構成するパイプ部分に、没入する態様で一つ又は二つの雌ネジを有する固定金具を固定すると共に、前記雌ネジに雄ネジ棒の一端側を螺入してあり、握り手部の端部近傍に段付き部を設けて小断面積側である先端部を上記パイプ部分に密嵌すると共に、握り手部の先端部から中央部側に延びる円孔に雄ネジ棒の他端側を挿入してあり、前記円孔は、孔中央に向かって深く形成された断面山形の底部を有すると共に、組立状態において雄ネジ棒の端部と当該底部との間にある程度の空間が形成される深さに設定してあり、少なくとも前記雌ネジと雄ネジ棒との隙間、円孔と雄ネジ棒の隙間、握り手部の先端部と固定金具との隙間、及び雄ネジ棒の端部と円孔の底部との隙間には、接着剤が充填されていることを特徴とする。
（請求項２記載の発明）
この発明のドアハンドルは、上記請求項１記載の発明に関し、固定金具は、パイプに密嵌される大きさの直方体状のもので、二つの雌ネジを有しており、前記各雌ネジに、二本使用した雄ネジ棒の各本の一端側を螺入してある。
（請求項３記載の発明）
この発明のドアハンドルは、上記請求項１又は２に記載の発明に関し、ドアハンドルの組立の際に、前記雌ネジと雄ネジ棒との隙間、円孔と雄ネジ棒の隙間、握り手部の先端部と固定金具との隙間、雄ネジ棒の端部と円孔の底部との隙間からなる全ての隙間に充填されるに必要な量の接着剤を円孔内に充填しておき、接着剤を塗った雄ネジ棒の一端側を雌ネジに螺入した状態で、前記雄ネジ棒の他端側を円孔に挿入すると共に、挿入部をパイプの開放部に嵌合することで、接着剤が前記全ての隙間にほぼ９０％以上充填されてなる。
【発明の効果】
【００１３】
この発明のドアハンドルを採用した場合、金属製のドア固定用脚部と木材製の握り手部とを雄ネジ棒を用いて結合してなる形式のものであっても、握り手部にクラックが発生しにくいようになった。
【発明を実施するための最良の形態】
【００１４】
以下にこの発明のドアハンドルを実施するための最良の形態として実施例について詳しく説明する。
【実施例１】
【００１５】
図１はこの発明の実施例１におけるドアハンドルＤＨの斜視図、図２は前記ドアハンドルＤＨの分解斜視図、図３は前記ドアハンドルＤＨの断面図を示している。
（このドアハンドルＤＨの基本的構造について）
このドアハンドルＤＨは、図１〜図３に示すように、金属製の上下のドア面固定用脚部１，１相互間に、木製の握り手部４を結合して成るものとしてある。
【００１６】
そして、図３に示すように、ドア面固定用脚部１を構成するパイプ１ａ部分に、没入する態様で二つの雌ネジ２０を有する固定金具２を固定すると共に、前記雌ネジ２０に雄ネジ棒３の一端側を螺入してある。また、握り手部４の端部近傍に段付き部４２を設けて小断面積側である先端部４１を上記パイプ１ａ部分に密嵌すると共に、握り手部４の先端部から中央部側に延びる円孔４０に雄ネジ棒３の他端側を挿入してある。更に、前記雌ネジ２０及び円孔４０と雄ネジ棒３との間に接着剤（図３において多数の点を付けてある部分）を充填してあると共に、握り手部４の先端部と固定金具２との間に接着剤を充填してある。
【００１７】
以下に、このドアハンドルＤＨを構成する各部材等について詳述する。
（このドアハンドルＤＨの具体的構成について）
ドア面固定用脚部１は、ステンレス等の金属材料により構成され、従来からある公知の方法（例えばドアを貫通する角芯等）によりドアのフレームに設けられる。なお、このドア面固定用脚部１は、図２や図３に示すように、握り手部４と接続される端部側は角パイプ形状となっている。
【００１８】
固定金具２は、図２に示すように直方体状のものであり、パイプ１ａに密嵌される大きさにしてある。なお、固定金具２へのパイプ１ａ内への固定は、溶接により行われている。
【００１９】
雄ネジ棒３は、図２や図３に示すように、ステンレス製の頭付きではなく雄ネジが形成された棒状のものである。
【００２０】
握り手部４は、図２に示すように、外観的には木目が視認できるようにしてあり、高級感を有するものとしてある。ここで、この握り手部４に形成された上記円孔４０は、図３に示した組立状態においては、雄ネジ棒３の端部と当該円孔４０の底部との間にある程度の空間が形成される深さに設定してある。
（このドアハンドルＤＨの成形方法について）
このドアハンドルＤＨの構造は図３に示す通りであるが、少なくとも雌ネジ２０と雄ネジ棒３との隙間、円孔４０と雄ネジ棒３の隙間、握り手部４の先端部と固定金具２との隙間、雄ネジ棒３の端部と円孔４０の底部との隙間には、接着剤が隙間なく１００％充填されていることが好ましい。したがって、このドアハンドルＤＨの組立の際には、前記した全ての隙間に充填されるに必要な量の接着剤を円孔４０内に充填しておき、接着剤を塗った雄ネジ棒３の一端側を雌ネジ２０に螺入した状態で、前記雄ネジ棒３の他端側を円孔４０に挿入すると共に、挿入部４１をパイプ１ａの開放部に嵌合する。
（このドアハンドルＤＨの優れた作用・効果）
この種の従来のドアハンドルでは、握り手部４の略中程部を握ってドアの開閉を繰り返すと、比較的短期間で段付き４２の部分からクラックが入るという問題が発生するが、この実施例のドアハンドルＤＨでは以下の作用によりクラックが発生しにくいものとなる。
【００２１】
すなわち、ドアの開閉時において、握り手部４には湾曲しようとする力が働くこととなるが、この力の多くは、雄ネジ棒３が円孔４０から引き出されようとする力に変換される。しかしながら、この実施例のドアハンドルでは、雄ネジ棒３の一端側は接着剤により雌ネジ２０に強固に位置決め固定されており、しかも雄ネジ棒３の中程から他端側部分は、円孔４０と雄ネジ棒３の隙間、握り手部４の先端部と固定金具２との隙間、雄ネジ棒３の端部と当該円孔４０の底部との隙間に充填された接着剤により非常に強力に抜け止め状態になっている。また、接着剤は前記隙間にほぼ１００％充填されているから接着面が破断することはドアの開閉操作程度ではほとんど起こらないと言える。
【００２２】
したがって、ドアの開閉時において握り手部４はほとんど湾曲することはなくなるから、段付き４２に応力集中が作用することが無くなり、その結果、前記段付き４２部分でクラックが発生することはほとんど起こり得ないことになる。
（その他について）
上記実施例では、二本の雄ネジ棒３を使用しているが、これに限定されることなく、一本でもよい
上記実施例では、雌ネジ２０及び円孔４０と雄ネジ棒３との間、握り手部４の先端部と固定金具２との間の接着剤の充填率は１００％としているが、これに限定されることない。握り手部４の段付き４２部分に強度があるような場合には、接着剤の充填率を６０〜１００％（好ましくは９０％以上）の間としてもよい。
【図面の簡単な説明】
【００２３】
【図１】この発明の実施例１におけるドアハンドルの斜視図。
【図２】前記ドアハンドルの分解斜。
【図３】前記ドアハンドルの断面図。
【図４】先行する技術のドアハンドルの断面図。
【符号の説明】
【００２４】
ＤＨ      ドアハンドル
１        ドア面固定用脚部
１ａ      パイプ
２        固定金具
２０      雌ネジ
３        ネジ棒
４        握り手部
４０      円孔
４１      先端部
４２      段付き部
【図１】
0004623303.tif 000002
【図２】
0004623303.tif 000003
【図３】
0004623303.tif 000004
【図４】
0004623303.tif 000005